(57)【要約】      （修正有）【課題】燃料電池のシミュレーション結果の精度を向上させる技術を提供する。【解決手段】シミュレーション処理では、圧縮方向に沿って弾性部材の起伏形状を分割する複数の領域を設定し（ステップＳ１１２）、圧縮量と反力との特性を示す部分特性データを領域毎にそれぞれ作成し（ステップＳ１１４）、各領域に対応する複数の弾性要素を弾性部材モデルに設定し（ステップＳ１１６）、弾性部材モデルを複数の弾性部材に適用した燃料電池モデルを用いてシミュレーションを行う。【選択図】図３
2013152590.tif 000002
【特許請求の範囲】
【請求項１】
起伏形状を有する複数の弾性部材が圧縮された状態で設けられた燃料電池の特性をシミュレーションするシミュレーション方法であって、
単独の前記弾性部材の特性を表す弾性部材モデルを設定する工程と、
前記弾性部材モデルを前記複数の弾性部材の各々に適用して前記燃料電池の特性をシミュレーションする工程と
を備え、
前記弾性部材モデルを設定する工程は、
前記燃料電池において前記弾性部材が圧縮される圧縮方向に沿って前記起伏形状を分割する複数の領域を、設定する工程と、
前記弾性部材を圧縮する各段階において前記領域内に存在する前記弾性部材の部分についての圧縮量と反力との特性を示す部分特性データを、前記領域毎にそれぞれ作成する工程と、
前記複数の領域の各々に対応する位置にそれぞれ設けられ、前記複数の領域の各々に対応する前記部分特性データに基づく特性をそれぞれ有する複数の弾性要素を、前記弾性部材モデルに設定する工程と
を含む、シミュレーション方法。
【発明の詳細な説明】
【技術分野】
【０００１】
本発明は、燃料電池の特性をシミュレーションする技術に関する。
【背景技術】
【０００２】
燃料電池としては、反応ガスを用いて電気化学的に発電する単セルを形成する発電部と、発電部同士を隔離するセパレータと、を交互に積層したものが知られている。発電部のアノード側には燃料ガスが供給され、発電部のカソード側には酸化ガスが供給される。このような燃料電池では、燃料電池に利用される種々の流体（例えば、燃料ガス、酸化ガス、冷却水など）の漏出を防止するために、ガスケットやシール部材とも呼ばれる超弾性体である複数の弾性部材が、セパレータ同士の間に圧縮された状態で設けられる（例えば、特許文献１を参照）。
【０００３】
燃料電池では数百に及ぶこともある部材を積層することから、燃料電池を設計する際には、燃料電池を構成する部材同士の積層ズレに起因する不具合（例えば、弾性部材のシール反力低下、セパレータの変形）に対処するために、コンピュータによるシミュレーション（模擬実験）が重要である。従来のシミュレーションでは、弾性部材をモデル化した弾性部材モデルとして、圧縮量に対して幅方向にわたって一様の反力を示す特性を有するモデルを使用していた。
【先行技術文献】
【特許文献】
【０００４】
【特許文献１】特開２００３−１６３０１５号公報
【発明の概要】
【発明が解決しようとする課題】
【０００５】
起伏形状を有する弾性部材では、圧縮量に対する反力が一様でないことから、このような弾性部材が設けられた燃料電池を、幅方向にわたって一様の反力を示す弾性部材モデルを用いてシミュレーションする場合、シミュレーション結果の誤差が増大してしまうという問題があった。
【０００６】
本発明は、上記した課題を踏まえ、燃料電池のシミュレーション結果の精度を向上させる技術を提供することを目的とする。
【課題を解決するための手段】
【０００７】
本発明は、上述の課題の少なくとも一部を解決するためになされたものであり、以下の形態または適用例として実現することが可能である。
【０００８】
［適用例１］適用例１のシミュレーション方法は、起伏形状を有する複数の弾性部材が圧縮された状態で設けられた燃料電池の特性をシミュレーションするシミュレーション方法であって、単独の前記弾性部材の特性を表す弾性部材モデルを設定する工程と、前記弾性部材モデルを前記複数の弾性部材の各々に適用して前記燃料電池の特性をシミュレーションする工程とを備え、前記弾性部材モデルを設定する工程は、前記燃料電池において前記弾性部材が圧縮される圧縮方向に沿って前記起伏形状を分割する複数の領域を、設定する工程と、前記弾性部材を圧縮する各段階において前記領域内に存在する前記弾性部材の部分についての圧縮量と反力との特性を示す部分特性データを、前記領域毎にそれぞれ作成する工程と、前記複数の領域の各々に対応する位置にそれぞれ設けられ、前記複数の領域の各々に対応する前記部分特性データに基づく特性をそれぞれ有する複数の弾性要素を、前記弾性部材モデルに設定する工程とを含むことを特徴とする。この適用例によれば、起伏形状を分割する複数の領域に対応する複数の弾性要素を弾性部材モデルに設定するため、起伏形状を有する複数の弾性部材が設けられた燃料電池のシミュレーション結果の精度を向上させることができる。
【０００９】
他の適用例としては、前記部分特性データを作成する工程は、前記圧縮量が第１の圧縮量未満である特性を省略して前記部分特性データを作成する工程であり、前記シミュレーションする工程は、前記圧縮量が前記第１の圧縮量以上となる範囲で前記燃料電池の特性をシミュレーションする工程であるとしても良い。この適用例によれば、シミュレーションの処理負荷を軽減することができる。
【００１０】
本発明の形態は、シミュレーション方法に限るものではなく、例えば、このようなシミュレーション方法を用いて設計された燃料電池、このようなシミュレーション方法を用いて燃料電池を製造する方法などの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１１】
【図１】燃料電池の構成を示す説明図である。
【図２】弾性部材の幅方向に沿って切断した燃料電池の部分断面を示す説明図である。
【図３】シミュレーション処理を示すフローチャートである。
【図４】弾性部材モデルを設定する様子を示す説明図である。
【図５】弾性部材モデルを設定する様子を示す説明図である。
【図６】弾性部材モデルを設定する様子を示す説明図である。
【図７】部分特性データを示すグラフである。
【図８】弾性部材モデルを適用した燃料電池モデルを示す説明図である。
【図９】第２実施形態で作成される部分特性データを示すグラフである。
【発明を実施するための形態】
【００１２】
以上説明した本発明の構成および作用を一層明らかにするために、以下本発明を適用したシミュレーション方法について説明する。
【００１３】
Ａ．第１実施形態：
図１は、燃料電池１０の構成を示す説明図である。燃料電池１０は、反応ガスを用いて電気化学的に発電する装置である。本実施形態では、燃料電池１０は、固体高分子型の燃料電池である。本実施形態では、燃料電池１０は、反応ガスとして、水素を含有する燃料ガスと、酸素を含有する酸化ガスとを用いる。
【００１４】
燃料電池１０は、複数の発電部１００と、複数のセパレータ２００とを備える。燃料電池１０の発電部１００は、膜電極接合体（Membrane Electrode Assembly、以下、「ＭＥＡ」とも呼ぶ）が設けられた板状体である。発電部１００のＭＥＡは、電解質膜の両面に電極層を接合してなる。ＭＥＡのアノード面には燃料ガスが供給され、ＭＥＡのカソード面には酸化ガスが供給される。
【００１５】
燃料電池１０には、複数のセパレータ２００の各間に発電部１００を１つずつ挟持した状態で、複数の発電部１００および複数のセパレータ２００が積層され締結されている。これによって、複数のセパレータ２００の各間に、反応ガスから直接的に電気を取り出す電気化学反応を行う単電池（単セル）が形成される。
【００１６】
本実施形態の説明では、燃料電池１０において複数のセパレータ２００が積層されている方向を「積層方向Ｄｓ」といい、積層方向Ｄｓに直交するセパレータ２００の面に沿った方向を「面方向Ｄｐ」という。
【００１７】
燃料電池１０のセパレータ２００は、発電部１００同士を隔離する板状体である。セパレータ２００は、発電部１００で発生する電気の集電に十分な導電性を有すると共に、発電部１００に対する反応ガスの供給や冷却水の循環に対する十分な耐久性、耐熱性およびガス不透過性を有する材料で形成されている。本実施形態では、セパレータ２００の材料は、カーボン樹脂であるが、他の実施形態では、例えば、ステンレス、チタン、チタン合金、導電性セラミックスであっても良い。
【００１８】
本実施形態では、セパレータ２００は、孔部４１０，４２０，４３０，４４０，４５０，４６０，４７０，４８０を備える。これらの孔部は、積層方向Ｄｓに沿って燃料電池１０を貫通する流路をそれぞれ形成する。孔部４１０は、発電部１００に供給するための燃料ガスを流す流路を形成し、孔部４５０は、発電部１００から排出された燃料ガスを流す流路を形成する。孔部４６０は、発電部１００に供給するための酸化ガスを流す流路を形成し、孔部４２０は、発電部１００から排出された酸化ガスを流す流路を形成する。孔部４４０，４８０は、発電部１００を冷却するための冷却水を流す流路を形成し、孔部４３０，４７０は、発電部１００の冷却に使用された冷却水を流す流路を形成する。
【００１９】
燃料電池１０は、複数の発電部１００および複数のセパレータ２００の他、複数の弾性部材５００を備える。燃料電池１０の弾性部材５００は、ガスケットやシール部材とも呼ばれる超弾性体である。本実施形態では、弾性部材５００は、幅方向に同じ断面形状を有する環状体である。本実施形態では、複数の弾性部材５００は、孔部４１０，４２０，４３０，４４０，４５０，４６０，４７０，４８０を、それぞれ取り囲む。
【００２０】
本実施形態の説明では、燃料電池１０における各弾性部材を総称する場合には符号「５００」を用い、特定の部位の弾性部材を示す場合には「５００」に英文字を付した符号を用いるものとする。例えば、孔部４１０を取り囲む弾性部材には符号「５００Ａ」を用い、孔部４２０を取り囲む弾性部材には符号「５００Ｂ」、孔部４３０を取り囲む弾性部材には符号「５００Ｃ」、孔部４４０を取り囲む弾性部材には符号「５００Ｄ」を、それぞれ用いる。また、孔部４５０を取り囲む弾性部材には符号「５００Ｅ」を用い、孔部４６０を取り囲む弾性部材には符号「５００Ｆ」、孔部４７０を取り囲む弾性部材には符号「５００Ｇ」、孔部４８０を取り囲む弾性部材には符号「５００Ｈ」を、それぞれ用いる。
【００２１】
弾性部材５００は、電気的絶縁性を有すると共に、発電部１００に対する反応ガスの供給や冷却水の循環に対する十分な耐久性、耐熱性および密閉性を有する材料で形成されている。本実施形態では、弾性部材５００の材料は、シリコンゴムであるが、他の実施形態では、ブチルゴムやフッ素ゴムであっても良い。
【００２２】
図２は、弾性部材５００の幅方向Ｄｗに沿って切断した燃料電池１０の部分断面を示す説明図である。図２（Ａ）および図２（Ｂ）には、燃料電池１０の部分として、４つのセパレータ２００の各間に３つの弾性部材５００がそれぞれ挟持されている部分を示した。図２（Ａ）には、燃料電池１０を積層方向Ｄｓに沿って圧縮する前の状態を示し、図２（Ｂ）には、燃料電池１０を積層方向Ｄｓに沿って圧縮して締結した状態を示した。弾性部材５００の幅方向Ｄｗは、弾性部材５００の長さ方向に直交する面方向Ｄｐに沿った方向である。図２の例では、中段に位置する弾性部材５００は、上段や下段に位置する他の弾性部材５００よりも幅方向Ｄｗにずれている。
【００２３】
図２（Ａ）に示すように、弾性部材５００は、基部５１０と、起伏部５２０とを備える。弾性部材５００の基部５１０は、その全域にわたって一方のセパレータ２００に当接する。弾性部材５００の起伏部５２０は、起伏形状をなし、基部５１０が当接するセパレータ２００とは異なる他方のセパレータ２００に当接する。本実施形態では、起伏部５２０の起伏形状は、幅方向Ｄｗの中央が凸状となった山なり形状である。他の実施形態において、起伏部５２０の起伏形状は、２箇所以上で凸状となった形状であっても良い。
【００２４】
図２（Ａ）および図２（Ｂ）に示すように、積層方向Ｄｓに沿って燃料電池１０を圧縮すると、弾性部材５００は変形し、特に、その起伏部５２０は大きく変形する。このように、弾性部材５００が起伏部５２０による起伏形状を有するため、積層方向Ｄｓに沿った圧縮に対する弾性部材５００の反力は、幅方向Ｄｗにわたって一様ではない特性を有する。
【００２５】
図３は、シミュレーション処理を示すフローチャートである。図３のシミュレーション処理は、積層方向Ｄｓに沿って圧縮して締結した燃料電池１０の特性をシミュレーションする処理である。図３のシミュレーション処理は、コンピュータによって実行される。本実施形態では、図３のシミュレーション処理を実行するコンピュータは、パーソナルコンピュータであるが、他の実施形態では、サーバーコンピュータやスーパーコンピュータであっても良い。
【００２６】
図３のシミュレーション処理を開始すると、コンピュータは、弾性部材モデル設定処理（ステップＳ１１０）を開始する。弾性部材モデル設定処理（ステップＳ１１０）は、単独の弾性部材５００の特性を表す弾性部材モデル５００ｍを設定する処理である。
【００２７】
図４、図５および図６は、弾性部材モデル５００ｍを設定する様子を示す説明図である。図４（Ａ）には、圧縮されていない状態にある弾性部材５００を図示し、図４（Ｂ）には、その状態の弾性部材モデル５００ｍを図示した。図５（Ａ）には、圧縮力Ｆ１により圧縮量Ｘ１で圧縮した状態にある弾性部材５００を図示し、図５（Ｂ）には、その状態の弾性部材モデル５００ｍを図示した。図６（Ａ）には、圧縮力Ｆ２（Ｆ１＜Ｆ２）により圧縮量Ｘ２（Ｘ１＜Ｘ２）で圧縮した状態にある弾性部材５００を図示し、図６（Ｂ）には、その状態の弾性部材モデル５００ｍを図示した。
【００２８】
図３の説明に戻り、弾性部材モデル設定処理（ステップＳ１１０）では、コンピュータは、燃料電池１０において弾性部材５００が圧縮される圧縮方向（積層方向Ｄｓ）に沿って弾性部材５００の起伏形状を分割する複数の領域６０を設定する（ステップＳ１１２）。図４（Ａ）には、圧縮されていない状態にある弾性部材５００に対して、複数の領域６０を設定する様子を図示した。図４（Ａ）に示すように、弾性部材５００における起伏部５２０の起伏形状は、複数の領域６０によって積層方向Ｄｓに沿って分割される。
【００２９】
本実施形態の説明では、弾性部材５００に対して設定する複数の領域の各々を総称する場合には符号「６０」を用い、そのうちの特定の領域を示す場合には「６０」に英文字を付した符号を用いるものとする。図４（Ａ）の例では、紙面左端から順に、領域６０ａ、領域６０ｂ、領域６０ｃ、領域６０ｄ、領域６０ｅ、領域６０ｆ、領域６０ｇ、領域６０ｈと呼ぶ。
【００３０】
本実施形態では、コンピュータは、図４（Ａ）に示すように、弾性部材５００が存在する領域を８つに分割して複数の領域６０を設定する。複数の領域６０の個数は８つに限るものではなく、２つ以上であれば良い。
【００３１】
本実施形態では、コンピュータは、図４（Ａ）に示すように、弾性部材５００が存在する領域を幅方向Ｄｗに等間隔で分割して複数の領域６０を設定する。複数の領域６０の間隔は等間隔に限るものではなく、少なくとも１つの領域６０を異なる間隔で分割しても良い。
【００３２】
図３の説明に戻り、弾性部材モデル設定処理（ステップＳ１１０）では、複数の領域６０を設定した後（ステップＳ１１２）、コンピュータは、弾性部材５００の圧縮特性をシミュレーションすることによって、圧縮量Ｘと反力Ｒとの特性を示す部分特性データＤｐｆを、領域６０毎にそれぞれ作成する（ステップＳ１１４）。部分特性データＤｐｆは、弾性部材５００を圧縮する各段階において、各領域６０内に存在する弾性部材５００の部分についての圧縮量Ｘと反力Ｒとの特性を示す。具体的には、図５（Ａ）や図６（Ａ）に示すように弾性部材５００を圧縮する各段階において、コンピュータは、各領域６０内に存在する弾性部材５００の表面の節点を特定し、各領域６０内で特定した節点の反力をそれぞれ合計したものを、各領域６０における反力Ｒとして導出する。
【００３３】
図７は、部分特性データＤｐｆを示すグラフである。図７には、横軸に圧縮量Ｘをとり、縦軸に反力Ｒをとって、部分特性データＤｐｆを図示した。
【００３４】
本実施形態の説明では、部分特性データを総称する場合には符号「Ｄｐｆ」を用い、特定の領域６０に対応する部分特性データを示す場合には、対応する領域６０の英文字を「Ｄｐｆ」に付した符号を用いるものとする。例えば、部分特性データＤｐｆ＿ａは領域６０ａに対応し、部分特性データＤｐｆ＿ｂは領域６０ｂに対応し、部分特性データＤｐｆ＿ｃは領域６０ｃに対応し、部分特性データＤｐｆ＿ｄは領域６０ｄに対応する。同様に、部分特性データＤｐｆ＿ｅは領域６０ｅに対応し、部分特性データＤｐｆ＿ｆは領域６０ｆに対応し、部分特性データＤｐｆ＿ｇは領域６０ｇに対応し、部分特性データＤｐｆ＿ｈは領域６０ｈに対応する。
【００３５】
図７に示すように、本実施形態では、弾性部材５００における幅方向Ｄｗの中央に位置する領域６０ｄ，６０ｅに対応する部分特性データＤｐｆ＿ｄ，Ｄｐｆ＿ｅは、比較的に高い反力Ｒを示す。幅方向Ｄｗの中央から外側に向かう程、すなわち、領域６０ｄから領域６０ｃ、領域６０ｂ、領域６０ａや、領域６０ｅから領域６０ｆ、領域６０ｇ、領域６０ｈに向かう程、対応する部分特性データＤｐｆの反力Ｒは低下する傾向にある。
【００３６】
図３の説明に戻り、弾性部材モデル設定処理（ステップＳ１１０）では、部分特性データＤｐｆを作成した後（ステップＳ１１４）、コンピュータは、複数の領域６０の各々に対応する複数の弾性要素５０を弾性部材モデル５００ｍに設定する（ステップＳ１１６）。複数の弾性要素５０は、複数の領域６０の各々に対応する位置にそれぞれ設けられ、複数の領域６０の各々に対応する部分特性データＤｐｆに基づく特性をそれぞれ有する。
【００３７】
図４（Ｂ）、図５（Ｂ）および図６（Ｂ）には、各圧縮状態における弾性部材モデル５００ｍを図示した。本実施形態の説明では、弾性部材モデル５００ｍに設定される複数の弾性要素の各々を総称する場合には符号「５０」を用い、そのうちの特定の弾性要素を示す場合には、対応する領域６０の英文字を「５０」に付した符号を用いるものとする。図４（Ｂ）、図５（Ｂ）および図６（Ｂ）の例では、弾性要素５０ａは領域６０ａに対応し、弾性要素５０ｂは領域６０ｂに対応し、弾性要素５０ｃは領域６０ｃに対応し、弾性要素５０ｄは領域６０ｄに対応する。同様に、弾性要素５０ｅは領域６０ｅに対応し、弾性要素５０ｆは領域６０ｆに対応し、弾性要素５０ｇは領域６０ｇに対応し、弾性要素５０ｈは領域６０ｈに対応する。
【００３８】
弾性要素５０ａは、部分特性データＤｐｆ＿ａに基づく特性を有し、弾性要素５０ｂは、部分特性データＤｐｆ＿ｂに基づく特性を有する。弾性要素５０ｃは、部分特性データＤｐｆ＿ｃに基づく特性を有し、弾性要素５０ｄは、部分特性データＤｐｆ＿ｄに基づく特性を有する。弾性要素５０ｅは、部分特性データＤｐｆ＿ｅに基づく特性を有し、弾性要素５０ｆは、部分特性データＤｐｆ＿ｆに基づく特性を有する。弾性要素５０ｇは、部分特性データＤｐｆ＿ｇに基づく特性を有し、弾性要素５０ｈは、部分特性データＤｐｆ＿ｈに基づく特性を有する。
【００３９】
図３の説明に戻り、複数の弾性要素５０を弾性部材モデル５００ｍに設定し（ステップＳ１１６）、弾性部材モデル設定処理（ステップＳ１１０）を終えると、コンピュータは、弾性部材モデル５００ｍを燃料電池１０における複数の弾性部材５００の各々に適用した燃料電池モデル１０ｍを設定する（ステップＳ１２０）。
【００４０】
図８は、弾性部材モデル５００ｍを適用した燃料電池モデル１０ｍを示す説明図である。図８（Ａ）には、図２（Ａ）の燃料電池１０に対応する状態の燃料電池モデル１０ｍを図示した。図８（Ｂ）には、図２（Ｂ）の燃料電池１０に対応する状態の燃料電池モデル１０ｍを図示した。図８（Ａ）に示すように、燃料電池モデル１０ｍには、燃料電池１０における複数の弾性部材５００の各位置に対応して、弾性部材モデル５００ｍを構成する複数の弾性要素５０が配置される。
【００４１】
図３の説明に戻り、燃料電池モデル１０ｍを設定した後（ステップＳ１２０）、コンピュータは、燃料電池モデル１０ｍを用いて燃料電池１０の特性をシミュレーションする（ステップＳ１３０）。本実実施形態では、コンピュータは、燃料電池１０における積層構造の強度特性をシミュレーションする。図８（Ｂ）に示すように、燃料電池１０の特性をシミュレーションする際には、弾性部材モデル５００ｍを構成する複数の弾性要素５０の各々が、それぞれ対応する部分特性データＤｐｆに基づいて変形する。
【００４２】
図３の説明に戻り、燃料電池１０の特性をシミュレーションした後（ステップＳ１３０）、コンピュータは、シミュレーション結果を出力し（ステップＳ１４０）、シミュレーション処理を終了する。本実施形態では、コンピュータは、シミュレーション結果を記憶装置（図示しない）に保存すると共に、ディスプレイ（図示しない）に出力する。他の実施形態では、コンピュータは、シミュレーション結果を他のコンピュータに送信することによって出力しても良いし、印刷媒体に印刷することによって出力しても良い。
【００４３】
以上説明した第１実施形態によれば、起伏形状を分割する複数の領域６０に対応する複数の弾性要素５０を弾性部材モデル５００ｍに設定するため、起伏形状を有する複数の弾性部材５００が設けられた燃料電池１０のシミュレーション結果の精度を向上させることができる。
【００４４】
Ｂ．第２実施形態：
第２実施形態では、圧縮量Ｘ１未満の特性を省略して部分特性データＤｐｆを作成し、圧縮量Ｘ１以上となる範囲で燃料電池１０の特性をシミュレーションする点を除き、第１実施形態と同様である。
【００４５】
図９は、第２実施形態で作成される部分特性データＤｐｆを示すグラフである。図９のグラフは、圧縮量Ｘ１未満の特性が省略されている点を除き、図７のグラフと同様である。第２実施形態では、部分特性データＤｐｆを作成する際（ステップＳ１１４）、コンピュータは、圧縮量Ｘ１未満の反力Ｒの計算を省略し、圧縮量Ｘ１から圧縮量Ｘ２まで反力Ｒを計算することによって、部分特性データＤｐｆを作成する。第２実施形態では、燃料電池１０の特性をシミュレーションする際（ステップＳ１３０）、コンピュータは、圧縮量Ｘ１未満の特性が省略された部分特性データＤｐｆを用いて、圧縮量Ｘ１以上となる範囲で燃料電池１０の特性をシミュレーションする。
【００４６】
以上説明した第２実施形態によれば、第１実施形態と同様に、起伏形状を有する複数の弾性部材５００が設けられた燃料電池１０のシミュレーション結果の精度を向上させることができる。また、燃料電池１０を圧縮し始める初期段階よりも、燃料電池１０を締結が完了する前後の段階における特性が重要となる場合には、圧縮量Ｘ１未満の反力Ｒを用いる場合と比較して、シミュレーションの処理負荷を軽減することができる。
【００４７】
Ｃ．他の実施形態：
以上、本発明の実施の形態について説明したが、本発明はこうした実施の形態に何ら限定されるものではなく、本発明の趣旨を逸脱しない範囲内において様々な形態で実施し得ることは勿論である。上述の実施形態では、弾性部材モデル５００ｍとして設定される弾性部材５００は、孔部に用いるものに限らず、発電部１００に用いられる弾性部材に適用しても良い。また、弾性部材５００の断面形状は、基部５１０および起伏部５２０からなるものに限らず、円形、楕円形、三角形、台形などであっても良い。
【符号の説明】
【００４８】
１０…燃料電池
１０ｍ…燃料電池モデル
５０，５０ａ〜５０ｈ…弾性要素
６０，６０ａ〜６０ｈ…領域
１００…発電部
２００…セパレータ
４１０，４２０，４３０，４４０，４５０，４６０，４７０，４８０…孔部
５００…弾性部材
５００ｍ…弾性部材モデル
５１０…基部
５２０…起伏部
【図１】
2013152590.tif 000003
【図２】
2013152590.tif 000004
【図３】
2013152590.tif 000005
【図４】
2013152590.tif 000006
【図５】
2013152590.tif 000007
【図６】
2013152590.tif 000008
【図７】
2013152590.tif 000009
【図８】
2013152590.tif 000010
【図９】
2013152590.tif 000011